(57)【特許請求の範囲】
【請求項１】
パネルに取り付けられる基体部と、該基体部と一体に形成されたバンド挿入部と、一端が該基体部と一体に形成され他端が前記バンド挿入部の挿入口に挿入されるようになったクリップバンドとからなり、前記バンド挿入部の一方の側には、前記バンドの挿入方向にみて上流側の根元部が前記基体部と一体に形成され先端部が浮動状態となったクリップ片が設けられ、該クリップ片の前記挿入口に面する側には鋸歯状の係止爪が形成され、前記クリップバンドには、前記バンド挿入部の前記挿入口に挿入した状態で前記クリップ片に面する側に、前記クリップ片の係止爪に係合する係止爪が形成されたプラスチック材料製の長尺物取付用バンドクリップであって、
前記基体部は、パネルに設けられたスタッドに係合するスタッド係合部を備え該スタッドに係合することにより前記パネルに取り付けられるものであり、前記基体部には、該基体部の前記スタッド係合部が前記パネル上のスタッドに係合したとき該スタッドにより半径方向外向きに押し出されて前記クリップ片の先端部の背後に係合する弾性阻止片が設けられ、該弾性阻止片は前記クリップ片が前記クリップバンドとの係合解除方向に撓むのを阻止することを特徴とする長尺物取付用バンドクリップ。
【請求項２】
パネルに取り付けられる基体部と、該基体部と一体に形成されたバンド挿入部と、一端が該基体部と一体に形成され他端が前記バンド挿入部の挿入口に挿入されるようになったクリップバンドとからなり、前記バンド挿入部の一方の側には、前記バンドの挿入方向にみて上流側の根元部が前記基体部と一体に形成され先端部が浮動状態となったクリップ片が設けられ、該クリップ片の前記挿入口に面する側には鋸歯状の係止爪が形成され、前記クリップバンドには、前記バンド挿入部の前記挿入口に挿入した状態で前記クリップ片に面する側に、前記クリップ片の係止爪に係合する係止爪が形成されたプラスチック材料製の長尺物取付用バンドクリップであって、
前記基体部は、パネルに形成した挿入孔に挿入される脚部を備え該脚部を前記挿入孔に挿入することにより前記パネルに取り付けられるものであり、前記基体部には、前記脚部が前記パネルの挿入孔に挿入されたとき該パネルにより押されて前記クリップ片の先端部の背後に係合する弾性阻止片が設けられ、該弾性阻止片は前記クリップ片が前記クリップバンドとの係合解除方向に撓むのを阻止することを特徴とする長尺物取付用バンドクリップ。
【請求項３】
パネルに取り付けられる基体部と、該基体部と一体に形成されたバンド挿入部と、一端が該基体部と一体に形成され他端が前記バンド挿入部の挿入口に挿入されるようになったクリップバンドとからなり、前記バンド挿入部の一方の側には、前記バンドの挿入方向にみて上流側の根元部が前記基体部と一体に形成され先端部が浮動状態となったクリップ片が設けられ、該クリップ片の前記挿入口に面する側には鋸歯状の係止爪が形成され、前記クリップバンドには、前記バンド挿入部の前記挿入口に挿入した状態で前記クリップ片に面する側に、前記クリップ片の係止爪に係合する係止爪が形成されたプラスチック材料製の長尺物取付用バンドクリップであって、
パネルへの取付状態において前記クリップ片の先端部の背後に係合して前記クリップ片が前記クリップバンドとの係合解除方向に撓むのを阻止する保持手段が設けられ、前記基体部と前記クリップ片との間にはスロットが形成され、前記保持手段は、前記スロットに挿入される挿入片であることを特徴とするバンドクリップ。
【発明の詳細な説明】
【０００１】
【産業上の利用分野】
本発明は、ワイヤハーネスやパイプ等の長尺物を自動車車体パネル等のパネルに取り付けるための長尺物取付用バンドクリップに関する。特に本発明は、パネルに取り付けられる基体部がバンド挿入部を備え、該バンド挿入部の挿入口に長尺物保持用のクリップバンドを挿入して該バンドにより長尺物保持用のループを形成し、バンド挿入部に設けた係止爪により該バンドを保持するようになったプラスチック材料製のバンドクリップに関する。
【０００２】
【従来技術】
従来の長尺物取付用バンドクリップは、自動車車体パネル等のパネルに設けたスタッドに係合するスタッド係合部又はパネルに形成した挿入孔に挿入される脚部を基体部に備え、該基体部にバンド挿入口を有する挿入部が一体に設けられる。挿入部には、バンド挿入方向にみて上流側に根元部が位置し先端部が浮動状態となるように弾性クリップ片が形成される。該クリップ片は、挿入されるクリップバンドに面する側に鋸歯状の係止爪を備える。クリップバンドはクリップ片に面する側に係止爪を備え、クリップ片の弾性作用によりクリップバンドとクリップ片の係止爪が互いに係合方向に付勢されて、クリップバンドがバンド挿入部に保持される。
【０００３】
【発明が解決しようとする課題】
上述した従来のバンドクリップにおいては、取付状態でクリップバンドに引き抜き方向の力が作用したとき、クリップ片に撓みを生じて該クリップ片の係止爪とバンドクリップの係止爪との間の係合が外れることがある。このようなクリップ片の撓みを生じ難くするにはクリップ片の撓み剛性を高めればよいが、クリップ片の撓み剛性が高くなると、クリップバンドを挿入部に挿入する際の抵抗が大きくなり、取り付け操作が阻害される。
本発明は、このような点に着目して得られたもので、取り付け操作が容易で、クリップバンドの引き抜きに対する抵抗が高い長尺物取付用バンドクリップを提供することを解決すべき課題とする。
【０００４】
【課題を解決するための手段】
上記課題を解決するために、本発明においては、上述の形式のバンドクリップに、クリップ片の先端部の背後に係合してクリップ片がクリップバンドとの係合解除方向に撓むのを阻止する保持手段を設ける。
本発明の一つの態様では、この保持手段は、クリップ片と基体部との間に挿入される挿入片により構成される。この挿入片は、基体部に対して柔軟性のある紐片により連結された一体構造とすることが好ましいが、基体部とは別体の部品として構成してもよい。
本発明の他の態様では、クリップの基体部が、パネルに設けられたスタッドに係合するスタッド係合部を備え該スタッドに係合することにより該パネルに取り付けられる形式である。そして、基体部には、該基体部のスタッド係合部がパネル上のスタッドに係合したとき該スタッドにより半径方向外向きに押し出されてクリップ片の先端部の背後に係合し、該クリップ片がクリップバンドとの係合解除方向に撓むのを阻止する弾性阻止片を設ける。
本発明のさらに他の態様では、クリップの基体部が，パネルに形成した挿入孔に挿入される脚部を備え該脚部をパネルの挿入孔に挿入することにより前記パネルに取り付けられる形式である。基体部には、脚部がパネルの孔に挿入されたとき該パネルにより押されてクリップ片の先端部の背後に係合し、該クリップ片がクリップバンドとの係合解除方向に撓むのを阻止する弾性阻止片を設ける。
【０００５】
【作用】
本発明の上記した構成によれば、バンドクリップの基体部に、クリップ片の先端部の背後に係合してクリップ片がクリップバンドとの係合解除方向に撓むのを阻止する保持手段を設けるので、クリップ片の撓み剛性が低くても、取り付け状態で該クリップ片が外力により撓まされることがなく、保持力を高くすることができる。基体部に、スタッドの取り付け時に該スタッドにより半径方向外向きに押し出されてクリップ片の先端部の背後に係合する弾性阻止片を設ける構成では、バンドクリップをスタッドに取り付ける操作だけでクリップ片の撓みを阻止できる状態になる。また、脚部がパネルの孔に挿入されたとき該パネルにより押されてクリップ片の先端部の背後に係合し、該クリップ片がクリップバンドとの係合解除方向に撓むのを阻止する弾性阻止片を設ける構成では、バンドクリップの脚部をパネルの孔に挿入する操作だけでクリップ片の撓みを阻止できる状態になる。
【０００６】
【実施例】
以下、本発明の実施例を図について説明する。
先ず本発明の第一の実施例によるバンドクリップを示す図１ないし図６を参照すると、この実施例は、自動車車体パネルのようなパネル１に植設されたねじスタッド等のスタッド２に取り付けるように構成されたものである。本実施例によるバンドクリップ３は、スタッド２に取り付けるための基体部４と該基体部４と一体に形成されたクリップバンド５とを備える。周知のように、この基体部４はクリップバンド５は、プラスチック材料により一体に成形される。
図１に示すように、基体部４は長方形の平面形状を有し、長方形の開口６ａが形成された上部６を備えている。図６に示すように、該上部６の下面から下方に延びて、円筒形の軸部７が形成され、該軸部７には、下面から上向きに長方形の開口６ａに連なる円筒形の孔７ａが形成されている。図２に想像線で、また図３に断面で示すように、孔７ａは、スタッド２の挿入を容易にするために、下端部が上方に小径になる円錐台形状に形成される。
軸部７には、図２に示すように、両側に該軸部７の軸方向に延びる一対の長方形のスロット７ｂが形成されており、該スロット７ｂの各々内に位置して、スタッド係合部８が設けられている。スタッド係合部８は、下端が軸部７と一体で上部が軸部７に対して半径方向に撓み得るように構成されている。図３に示すように、対をなすスタッド係合部８の上下方向中間部には、互いに対向するように半径方向内方に突出するスタッド係止爪８ａが形成されている。
【０００７】
対をなすスタッド係合部８が形成される基体部４の側部に対して９０°ずれた位置に、バンド挿入部９が該基体部４と一体に形成される。このバンド挿入部９は、図１及び図２に示すように、長方体形状のブロックとして基体部４と一体に形成され、クリップバンド５を挿入するための挿入口９ａが上下方向に貫通して形成されている。クリップバンド５は、根元部３ａがバンド挿入部９と一体に形成され、先端部３ｂが挿入口９ａに挿入される。
バンド挿入部９の一方の側、すなわち基体部４に隣接する側には、バンド５の挿入方向にみて上流側の根元部１０ａが基体部９と一体に形成され、先端部１０ｂが浮動状態となったクリップ片１０が設けられている。このクリップ片１０には、バンド挿入口９ａに面する側に複数の鋸歯状の係止爪１０ｃが形成されている。クリップバンド５には、バンド挿入部９への挿入状態でクリップ片１０に面する側に、複数の鋸歯状の係止爪５ａが形成されている。
以上述べたバンドクリップの構造は従来から周知であり、クリップバンド５によりワイヤハーネスやパイプのような長尺物１１をクリップバンド５により囲むように保持してクリップバンド５の先端をバンド挿入部９の挿入口９ａに挿入することにより、長尺物１１を保持することができる。この状態で、基体部４をパネル１上のスタッド２に取り付けることにより、図５に示すように長尺物１１をパネル１に取り付けることができる。
【０００８】
この従来の構造は、取り付け状態でクリップバンド５を挿入部９から引き抜く方向に外力が作用すると、クリップ片１０が撓んで、該クリップ片１０の係止爪１０ｃとクリップバンド５の係止爪５ａとの間の係合が外れることがある。本発明のこの実施例では、この問題を解決するために、クリップ片１０の背後の位置において、基体部４に弾性阻止片１２が形成される。
この弾性阻止片１２は、クリップ片１０の背後位置で基体部４の壁をコ字状に切り欠いて形成した弾性片の形態を有し、上端部が基体部と一体であり、下端部が浮動状態となっている。弾性阻止片１２の内面は、基体部４の円筒形軸部７に形成した円筒形の孔７ａに露出しており、この弾性阻止片１２の内面に半径方向内方に突出する隆起部１２ａが形成されている。弾性阻止片１２は、該弾性阻止片１２が半径方向外向きに撓まされたとき、下端部の外面がクリップ片１０の浮動状態にある端部１０ｂに係合するように配置される。
この実施例では、図５に示すように基体部４をパネル１上のスタッド２に係合させたとき、該スタッド２により弾性阻止片１２の隆起部１２ａがスタッド２に接触して半径方向外向きに押される。その結果、弾性阻止片１２が半径方向外向きに変形させられ、その下端部外面がクリップ片１０の浮動状態にある端部１０ｂに係合する。したがって、クリップバンド５に該クリップバンド５を挿入部９から引き抜く方向の外力が作用しても、クリップ片１０は、鋸歯状係止爪１０ｃがクリップバンド５の係止爪５ａとの係合から外れる方向への変形を阻止されるため、係合が外れる恐れはなくなる。
【０００９】
図７ないし図１０に本発明の他の実施例によるバンドクリップを示す。この実施例において、先の実施例と同じ部分は同一の符号を付して示し、細部の説明は省略する。この実施例によるバンドクリップ２０は、自動車車体パネルのようなパネル１に形成した取付孔２１に挿入される取付脚２２を有する形式である。取付脚２２は、上方フランジ２３を備え、このフランジ２３がパネル１の上面に接触するように配置される。フランジ２３の中央から下向きに延びるように板状の中央脚２４が形成される。この中央脚２４は、図７及び図９に示すように中途から先細になっている。中央脚２４の両側には、図８に示すように、先端から斜め上方向に延びる錨脚２５が形成される。この錨脚２５は周知の形状で、上端部にパネル１の下面に係合するための段部２５ａを有する。
フランジ２３の上側には、該フランジ２３と一体にバンド挿入部９が形成される。前例におけると同様に、該バンド挿入部９と一体にクリップバンド５が形成される。バンド挿入部９には挿入口９ａが形成される。バンド挿入部９ａの挿入口９ａに面するように、フランジ２３の上面にクリップ片１０が形成される。クリップ片１０は、前例におけると同様に、バンド挿入方向にみて上流側に位置する根元部１０ａがフランジ２３と一体であり、先端部１０ｂが浮動状態となっている。
【００１０】
フランジ２３には、クリップ片１０の先端部１０ｂの下側の位置に弾性阻止片２６が形成される。この弾性阻止片２６は、図１０に示すように、フランジ２３の縁部を所定の巾だけ残してコ字状のスリット２５を切り込むことにより形成される。弾性阻止片２６の下面には、下方に突出する隆起部２６ａが形成される。この隆起部２６ａは、取付脚２２をパネル１の孔２１に挿入したときに、該パネル１の上面に係合する。その結果、取付脚２２の取付状態で、弾性阻止片２６はパネル１により上向きに撓まされ、図９に示すようにクリップ片１０の端部１０ｂの下面に係合する。この状態では、弾性阻止片２６の作用により、クリップ片１０はクリップバンド５との係合から外れる方向に撓むのを阻止される。
図１１ないし図１３に本発明のさらに他の実施例を示す。この実施例は、図１ないし図６に示す実施例の変形であり、対応する部分には同一の符号を付して示し、詳細な説明は省略する。本実施例においては、基体部４の円筒形軸部７の外壁面とクリップ片１０との間に下向きに開口するスロット３０が形成される。該スロット３０の両側に位置するバンド挿入フランジ９の壁面には、係止用凹部３１が形成される。また、図１１及び図１２に示すように、係止用凹部３１に挿入される挿入片３２が、紐状連結片３３により基体部４と一体に形成される。
【００１１】
挿入片３２は、図１１及び図１２から理解されるように薄板形状に形成され、図１２に示すように、一端がスロット３２ａにより割れた形状の弾性片であり、両側部の外面に係合突起３２ｂが形成されている。係合突起３２ｂは係止用凹部３１に対応する形状を有する。
この実施例では、クリップバンド５により長尺物を保持した状態で、挿入片３２をスロット３２ａの反対側からスロット３０に挿入し、係合用突起３２ｂを係止用凹部３１に係合させる。このとき、挿入片３２に形成したスロット３２ａにより挿入片３２が撓むことができるので、挿入は容易であり、挿入後には該挿入片３２がスロット３１から脱落することはない。本実施例では、クリップ片１０の背後に挿入片３２が挿入されるので、該クリップ片１０の撓みが阻止され、クリップバンドとの係合が外れることがなくなる。なお、この挿入片３２を連結片３３により基体部４に一体に形成することは、必ずしも必要でなく、該挿入片３２を別部品としてもよい。本実施例によればボディーへの取付動作に関係なくクリップ片１０のたわみを防止できる。従って長尺物へクリップを先付する場合などは長尺物搬送中等でのクリップ保持力も改善される。
【００１２】
【効果】
本発明によれば、長尺物保持用のバンドクリップにおいて、クリップバンドと係合するクリップ片が外力により撓むのを阻止する保持手段が設けられるので、クリップ片がクリップバンドとの係合から外れる恐れがなくなる。また、第一及び第二の実施例では、基体部をパネルに取り付けることにより、保持手段が自動的に阻止位置に動かされるので、取り付けのために特別の操作を必要とせず、操作が極めて容易であり、しかも一体構造であるため、製造が容易かつ廉価である。
【図面の簡単な説明】
【図１】本発明の第一の実施例を示すバンドクリップの平面図である。
【図２】図１に示すバンドクリップの側面図である。
【図３】図２のＡ−Ａ線における断面図である。
【図４】図１ないし図３に示す実施例における弾性阻止片の詳細を示す拡大断面図である。
【図５】図１ないし図５に示す実施例によるバンドクリップの取り付け状態を示す断面図である。
【図６】図１ないし図５に示す実施例の基体部の底面図である。
【図７】本発明の第二の実施例を示すバンドクリップの断面図である。
【図８】図７のＢ−Ｂ線における断面図である。
【図９】図６ないし図８に示す実施例のバンドクリップを取り付け状態で示す断面図である。
【図１０】図７ないし図９に示す実施例における取付脚のフランジの一部を示す平面図である。
【図１１】本発明の第三の実施例を示すバンドクリップの一部の平面図である。
【図１２】図１１のＣ−Ｃ線における断面図である。
【図１３】図１１ないし図１２に示す実施例におけるバンド挿入部の詳細を示す拡大断面図である。
【符号の説明】
１・・・・パネル、
２・・・・スタッド、
３・・・・バンドクリップ、
４・・・・基体部、
５・・・・クリップバンド、
９・・・・バンド挿入部、
１０・・・・クリップ片、
１２、２６・・・・弾性阻止片、
３２・・・・挿入片。
【図１】
0003554591.tif 000002
【図２】
0003554591.tif 000003
【図３】
0003554591.tif 000004
【図４】
0003554591.tif 000005
【図５】
0003554591.tif 000006
【図６】
0003554591.tif 000007
【図７】
0003554591.tif 000008
【図８】
0003554591.tif 000009
【図９】
0003554591.tif 000010
【図１０】
0003554591.tif 000011
【図１１】
0003554591.tif 000012
【図１２】
0003554591.tif 000013
【図１３】
0003554591.tif 000014